(57)【要約】  本開示は、トレーニングのための方法及び装置を提供する。装置は、ユーザの手にかみ合うように構成されたグリップ、及び、収縮位置と伸長位置との間でグリップに移動可能に連結されたグリップ伸長部を有する。装置はさらに、グリップ及びグリップ伸長部の少なくとも１つに連結され、実質的に固定された長さだけ伸長する、柔軟なシャフト、及び、柔軟なシャフトに連結されたファンを有する。
2019509800.tif 000002
【特許請求の範囲】
【請求項１】
トレーニングのための装置であって、
（ａ）中空の中心を定める硬い円筒状シャフトを含む握り；
（ｂ）前記握りにスライド可能に連結された伸長部材であって、該伸長部材の一部が前記中空の中心の内部にある非伸長位置と前記伸長部材の一部が前記中空の中心の内部にない伸長位置との間をスライドすることができる、伸長部材；
（ｃ）前記握りに関して前記伸長部材の位置を選択的に固定できるように前記握り及び前記伸長部材に移動可能に連結されたファスナ；
（ｄ）前記伸長部材に連結された柔軟なコード；及び
（ｅ）前記柔軟なコードに連結され、折り畳まれた構造と開いた構造との間で可動である、折り畳み式ファン、
を含む、装置。
【請求項２】
前記握りが、硬いゴムグリップをさらに有することを特徴とする、請求項１に記載の装置。
【請求項３】
前記握りが、ゴルフクラブの握りであることを特徴とする、請求項１に記載の装置。
【請求項４】
前記ファスナが前記握りに回転可能に連結され、該ファスナは、前記握りに関して前記伸長部材の位置を固定するよう回転することを特徴とする、請求項１に記載の装置。
【請求項５】
前記柔軟なコードがナイロンロープであることを特徴とする、請求項１に記載の装置。
【請求項６】
前記握り及び前記伸長部材が、前記非伸長位置において４１インチ（１０４．１４ｃｍ）の長さを有し、前記握り及び前記伸長部材が、前記伸長部材が前記伸長位置にある場合、４９インチ（１２４．４６ｃｍ）の長さを有することを特徴とする、請求項１に記載の装置。
【請求項７】
前記柔軟なコードが前記伸長部材に取り外し可能に取り付けられることを特徴とする、請求項１に記載の装置。
【請求項８】
前記折り畳み式ファンが、前記柔軟なコードに固定して連結される２つの折り畳み式ファンを有することを特徴とする、請求項１に記載の装置。
【請求項９】
（ａ）少なくとも以下：
中空の中心を定める硬い円筒状のシャフトを含む握り；
前記握りにスライド可能に連結された伸長部材であって、該伸長部材が前記中空の中心の内部にある非伸長位置と前記伸長部材が前記空の中心の内部にない伸長位置との間をスライドすることができる、伸長部材；
（ｉ）前記握りに関して前記伸長部材の位置を固定する、かつ（ｉｉ）前記握りに関して前記伸長部材の移動を可能とするように、前記握り及び前記伸長部材に移動可能に連結された、ファスナ；
前記伸長部材に連結された、柔軟なコード；及び
前記柔軟なコードに連結された折り畳み式ファンであって、折り畳まれた構造よりもフローに対する抵抗が大きい開いた構造へ及びその構造から折り畳まれることができる、折り畳み式ファン、
を有する装置を提供する工程を含む提供方法。
【請求項１０】
前記握りが、硬いゴムグリップをさらに有することを特徴とする、請求項９に記載の方法。
【請求項１１】
前記ファスナが前記握りに回転可能に連結され、該ファスナは、前記握りに関して前記伸長部材の位置を固定するよう回転することを特徴とする、請求項９に記載の方法。
【請求項１２】
前記柔軟なコードがロープであることを特徴とする、請求項９に記載の方法。
【請求項１３】
前記握り及び前記伸長部材が、該伸長部材が前記非伸長位置にある場合、４１インチ（１０４．１４ｃｍ）の長さを有し、前記握り及び前記伸長部材が前記伸長位置において４９インチ（１２４．４６ｃｍ）の長さを有することを特徴とする、請求項９に記載の方法。
【請求項１４】
前記柔軟なコードが前記伸長部材に取り外し可能に取り付けられることを特徴とする、請求項９に記載の方法。
【請求項１５】
前記折り畳み式ファンが、前記柔軟なコードに連結される２つの折り畳み式ファンを有することを特徴とする、請求項９に記載の方法。
【請求項１６】
（ａ）中空の中心を定める硬い円筒状シャフトを含む握りを形成する工程；
（ｂ）前記握りにスライド可能に連結された伸長部材であって、該伸長部材が前記中空の中心の内部にある非伸長位置と前記伸長部材が中空の中心の内部にない伸長位置との間をスライドできる、伸長部材を取り付ける工程；
（ｃ）前記握りに関して前記伸長部材の位置を固定し、かつ前記握りに関して前記伸長部材の移動を可能とするように前記握り及び前記伸長部材に移動可能に連結された、ファスナを取り付ける工程；
（ｄ）前記伸長部材に連結された柔軟なコードを取り付ける工程；及び
（ｅ）前記柔軟なコードに連結された折り畳み式ファンであって、開いた構造と折り折り畳まれた構造との間で折り畳むことができる、折り畳み式ファンを取り付ける工程
を含む、製造方法。
【請求項１７】
前記握りが、硬いゴムグリップをさらに有することを特徴とする、請求項１６に記載の方法。
【請求項１８】
前記ファスナが前記握りに回転可能に連結され、該ファスナは、前記握りに関して前記伸長部材の位置を固定するよう回転することを特徴とする、請求項１６に記載の方法。
【請求項１９】
前記柔軟なコードがロープであることを特徴とする、請求項１６に記載の方法。
【請求項２０】
前記握り及び前記伸長部材が前記非伸長位置において４１インチ（１０４．１４ｃｍ）の長さを有し、前記握り及び前記伸長部材が前記伸長位置において４９インチ（１２４．４６ｃｍ）の長さを有することを特徴とする、請求項１６に記載の方法。
【請求項２１】
前記柔軟なコードが前記伸長部材に取り外し可能に取り付けられることを特徴とする、請求項１６に記載の方法。
【請求項２２】
前記折り畳み式ファンが、前記柔軟なコードに固定して連結される２つの折り畳み式ファンを有することを特徴とする、請求項１６に記載の方法。
【請求項２３】
（ａ）ユーザの手にかみ合うよう構成されたグリップ；
（ｂ）前記グリップに連結されて実質的に固定された長さだけ前記グリップから伸長する柔軟なシャフト；及び
（ｃ）前記柔軟なシャフトに連結された折り畳み式ファンであって、折り畳まれた位置と開いた位置との間で可動であり、前記ファンの前記開いた位置は、前記折り畳まれた位置よりも動きに対してより大きい抵抗を提供する、折り畳み式ファン
を有する、トレーニングのための装置。
【請求項２４】
収縮位置と伸長位置との間で前記グリップに移動可能に連結されたグリップ伸長部をさらに有する、請求項２３に記載の装置。
【請求項２５】
前記柔軟なシャフトが、前記グリップ伸長部に連結されることを特徴とする、請求項２４に記載の装置。
【請求項２６】
前記グリップに関して前記グリップ伸長部の位置を選択的に固定し、かつ前記グリップに関して前記グリップ伸長部の移動を可能とするように前記グリップ及び前記グリップ伸長部に連結された、ファスナをさらに含むことを特徴とする、請求項２４に記載の装置。
【請求項２７】
前記グリップが中空部分を含み、前記グリップ伸長部が前記中空部分内に部分的に配置されることを特徴とする、請求項２４に記載の装置。
【請求項２８】
前記シャフトが実質的に伸長しないことを特徴とする、請求項２３に記載の装置。
【請求項２９】
前記シャフトが、コード、ストラップ及びロープのいずれかであることを特徴とする、請求項２３に記載の装置。
【請求項３０】
前記グリップが硬いことを特徴とする、請求項２３に記載の装置。
【請求項３１】
（ａ）ユーザの手にかみ合うよう構成されたグリップ；
（ｂ）収縮位置と伸長位置との間で前記グリップに移動可能に連結されたグリップ伸長部；
（ｃ）前記グリップ及び前記グリップ伸長部の少なくとも１つに連結され、実質的に固定された長さだけ伸長する、柔軟なシャフト；及び
（ｄ）前記柔軟なシャフトに連結されたファン、
を有する、トレーニングのための装置。
【発明の詳細な説明】
【技術分野】
【０００１】
本開示の実施形態は、トレーニングのための方法及び装置に関する。本開示は、より詳細には、スイングトレーニングのための方法及び装置に関する。
【背景技術】
【０００２】
ゴルフのストロークの技法は、それによってゴルファーが決断をし（クラブを選択しショットを選択する）ゴルフのスポーツにおいてそれを実行する（ショットをする）手段である。全てのゴルファーについて、技法には、クラブ、スタンス、及び実際のストロークをゴルファーが選択するプレストローク要素が含まれる。ストローク自体は複雑な動きである。うまくいくかつ一貫性のあるゴルフスイング（ストローク）には、グリップ及び指の位置から足の位置及び動きまでの正確なタイミング及び技法が必要とされる。バックスイングであろうとダウンスイングであろうとアップスイングであろうと、スイングの任意の瞬間において、多くのことによりミスヒットが生じうる。
【０００３】
ゴルフの指導は、ゴルファーをトレーニングし、スイング、並びに、体、クラブ及びゴルフボールの影響をより意識することによって、ゴルフをより上手にプレーできるようにゴルフスイングを改良することを意図している。
【０００４】
ゴルフの指導は広範でありうるが、多くの素晴らしい近代的な指導によって、スイングのフラストレーションが正確に診断され、ゴルフコースを上手にプレーできるように（ゴルファーごとに上手の条件は変化する）音で再現可能なスイングでゴルファーを「苦しめる（plagued）」特定の病気からゴルファーが永続的な再現性を発見する助けをする明確な処置が提供される。
【０００５】
初心者プレーヤーは、いくつかの方法でレッスンをスタートできるが、多くは、グループ又は個人の環境で、ゴルフスイングのゴルフの５つの基礎的なスキルを対象とする。ゴルフは、体のバランスを崩しうる非対称の運動であり、筋肉のバランスを維持するために十分な運動を必要とする。経験豊富な娯楽のためのプレーヤーは、直面する特定の問題を修正するため又はゲームを改良するために、しばしば指導に戻る。高いレベルに達するためのゴルフスイングの改造には、長期間に亘る一連のレッスンがしばしば必要となる。
【発明の概要】
【発明が解決しようとする課題】
【０００６】
上記に鑑みて、本開示の目的は、トレーニングのための方法及び装置を提供することである。
【課題を解決するための手段】
【０００７】
本開示の第１の例示的な実施形態は、トレーニングのための方法を提供する。この方法は、装置を提供する工程を含み、装置は少なくとも１つの握り及び伸長部材を有し、握りは中空の中心を定める硬い円筒状シャフトを含み、伸長部材は、握りにスライド可能に連結され、伸長部材の一部が中空の中心の内部にある非伸長位置と伸長部材の一部が中空の中心の内部にない伸長位置との間をスライドすることができる。装置はさらに、ファスナ及び柔軟なコードを有し、ファスナは、握りに関して伸長部材の位置を選択的に固定できるように握り及び伸長部材に移動可能に連結され、柔軟なコードは伸長部材に連結される。装置はさらに、折り畳み式ファンを有し、折り畳み式ファンは柔軟なコードに連結され、折り畳まれた構造と開いた構造との間で可動である。
【０００８】
本開示の第２の例示的な実施形態は、トレーニングのための装置を提供する。装置は、握り及び伸長部材を有し、握りは中空の中心を定める硬い円筒状シャフトを含み、伸長部材は、握りにスライド可能に連結され、伸長部材の一部が中空の中心の内部にある非伸長位置と伸長部材の一部が中空の中心の内部にない伸長位置との間をスライドすることができる。装置はさらに、ファスナ及び柔軟なコードを有し、ファスナは、（ｉ）握りに関して伸長部材の位置を固定する、かつ（ｉｉ）握りに関して伸長部材の移動を可能とするように、握り及び伸長部材に移動可能に連結され、柔軟なコードは伸長部材に連結される。装置はまた、折り畳み式ファンを有し、折り畳み式ファンは柔軟なコードに連結され、折り畳まれた構造よりもフローに対する抵抗が大きい開いた構造へ及びその構造から折り畳まれることができる。
【０００９】
本開示の第３の例示的な実施形態は、製造方法を提供する。この方法は、握りを形成する工程及び伸長部材を取り付ける工程を含み、握りは中空の中心を定める硬い円筒状シャフトを含み、伸長部材は、握りにスライド可能に連結され、伸長部材が中空の中心の内部にある非伸長位置と伸長部材が中空の中心の内部にない伸長位置との間をスライドすることができる。方法はさらに、ファスナを取り付ける工程及び柔軟なコードを取り付ける工程を含み、ファスナは、握りに関して伸長部材の位置を固定できるように握り及び伸長部材に移動可能に連結され、柔軟なコードは伸長部材に連結される。方法はさらに、折り畳み式ファンを取り付ける工程を含み、折り畳み式ファンは柔軟なコードに連結され、折り畳まれた構造と開いた構造との間で折り畳まれることができる。
【００１０】
本開示の第４の例示的な実施形態は、トレーニングのための装置を提供する。装置は、ユーザの手にかみ合うよう構成されたグリップ、及び、グリップに連結されて実質的に固定された長さだけグリップから伸長する柔軟なシャフトを有する。装置はさらに、柔軟なシャフトに連結された折り畳み式ファンを有し、折り畳み式ファンは折り畳まれた構造と開いた構造との間で可動であり、ファンの開いた位置は、折り畳まれた位置よりも動きに対してより大きい抵抗を提供する。
【００１１】
本開示の第５の例示的な実施形態は、トレーニングのための装置を提供する。装置は、ユーザの手にかみ合うよう構成されたグリップ、及び、収縮位置と伸長位置との間でグリップに移動可能に連結されたグリップ伸長部を有する。装置はさらに、グリップ及びグリップ伸長部の少なくとも１つに連結されて実質的に固定された長さだけ伸長する柔軟なシャフト、及び、柔軟なシャフトに連結されたファンを有する。
【００１２】
以下は、本開示の実施形態を説明するが、本開示は記載される実施形態に限定されず、基本原理から逸脱せずに本発明のさまざまの変更が可能であることが理解されるべきである。したがって、本開示の範囲は、添付の請求項によってのみ定められるものである。
【図面の簡単な説明】
【００１３】
【図１】本開示の例示的な実施形態の実践において使用するのに適切な例示的な装置の正面図
【図２】本開示の例示的な実施形態の実践において使用するのに適切な例示的な装置の透視図
【図３】本開示の例示的な実施形態の実践において使用するのに適切な代替的な構成の例示的な装置の正面図
【図４】例示的な装置の使用を示すフローダイアグラム
【図５】本開示の例示的な実施形態を行うための方法及び装置に従ったロジックフローダイアグラム
【図６】本開示の例示的な実施形態を行うための方法及び装置に従ったロジックフローダイアグラム
【発明を実施するための形態】
【００１４】
上手なゴルファーは通常、繰り返して技術的に音が出るゴルフスイングを有する。しかしながら、ドライビングディスタンスは、技術的に音が出るゴルフスイング及び速いゴルフクラブのヘッドスピードの両方の作用である。平均的なゴルファーは、大幅な改良を得ることなく、これらの条件の両方をマスターするためにゴルフクラブを振って何時間も費やしうる。したがって、ゴルフのゲームを改良するためにゴルファーが筋肉の記憶及び強度を発達させる助けとなる装置が必要とされる。
【００１５】
本開示の実施形態は、ユーザが適切なゴルフスイングを構築するのを助けるためのゴルフトレーニング装置を提供する。本開示の実施形態はまた、ゴルファーの強さを発達させることを意図するゴルフトレーニング装置を提供する。本開示の実施形態は、異なる長さのゴルフクラブをシミュレーションするために調整可能なゴルフトレーニング装置を提供する。本開示の実施形態は、使用中に異なるレベルのユーザ抵抗を提供する複数の構成を有するゴルフトレーニング装置を提供する。本開示の実施形態は、ゴルフクラブのヘッドスピードがゴルフボールの接触点において最大となるように、ユーザが速筋及び遅筋をトレーニングすることを可能とするゴルフトレーニング装置を提供する。
【００１６】
図１を参照すると、トレーニング装置１０２が図１に示される。トレーニング装置１０２は、握り１０４、柔軟なコード１０６、及びファン１０８を有する。握り１０４は、ユーザの手にかみ合うための管状要素を提供する。握り１０４は、ユーザの両方の手を受け入れることができるように長手軸に沿って伸長する。握り１０４の実施形態は、パター、ドライバー、及びアイアンを含む標準的なゴルフクラブの握りのサイズである。握り１０４は、金属、カーボン繊維、又はアルミニウム合金から作製され、握り１０４の外側をゴム又はクッション状材料が取り囲み、ユーザの手はゴム又はクッション状材料に直接接触する。握り１０４の実施形態は、一端で閉じており他端で開いている。握り１０４の開放端は、握り１０４内の中空の中心又は空洞への経路を提供する。
【００１７】
握り１０４は、伸長管１１０及びロック機構１１２を有する。伸長管１１０は、握り１０４にその開放端を介して可動式に取り付けられる。伸長管１１０は、伸長管の長さの少なくとも一部を握り１０４内の空洞の中へ及び外へ移動可能にスライドさせることができ、それによって、握り１０４のリッジ状（ridged）の伸長が提供される。伸長管１１０の実施形態は、約９インチ（２２．８６ｃｍ）〜１１インチ（２７．９４ｃｍ）の長さを有する長手軸を有する。握り１０４と伸長管１１０を組み合わせた長さは、約２１インチ（５３．３４ｃｍ）である。伸長管１１０は、金属、カーボン繊維又はアルミニウム合金から作製される。
【００１８】
ロック機構１１２は、握り１０４及び伸長管１１０に可動式に取り付けられる。ロック機構は、伸長管１１０が多数の伸長位置又は非伸長（又は屈折）位置のいずれかに握り１０４を可動式にスライドさせることを可能とする手段を提供する。ロック機構１１２はしたがって、握り１０４に関して特定の位置で伸長管１１０の動きをロック又は防止する手段を提供する。ロック機構１１２の実施形態は、ツイストロック手段、クランピングロック手段、及びクラスピング（clasping）ロック手段を含む。図１に示されるように、ロック機構１１２は、ロック機構１１２が一方向に（例えば時計回り又は反時計回り）にねじられる又は回転されると握り１０４に関して伸長管１１０が動くことを可能とし、他方向にねじられる又は回転されると握り１０４に関する伸長管１１０の動きをロック又は防止する、ツイストロック機構を示す。ロック機構１１２の実施形態は、握り１０４に関する伸長管１１０の動きを選択的に可能としかつ防止する手段を提供する。
【００１９】
柔軟なコード１０６は、柔軟なコード１０６の一端で伸長管１１０に取外し可能に取り付けられる。柔軟なコード１０６は、他端でファン１０８に固定して取り付けられる。しかしながら、柔軟なコード１０６の実施形態は、ファン１０８に取外し可能に取り付けられかつ伸長管１１０に固定して取り付けられてもよい。ある実施形態において、柔軟なコード１０６は、クランピング、クラスピング、又はスクリューイングにより伸長管１１０から取外し可能に取り付けられてもよい。柔軟なコード１０６は、ナイロンコードから作製される。しかしながら、柔軟なコード１０６の実施形態は、ポリエステル、ポリプロピレン、ゴム、及びプラスチックのような任意の柔軟な材料から作製されてもよいことが理解されるべきである。柔軟なコード１０６は、約９インチ（２２．８６ｃｍ）〜１０インチ（２５．４ｃｍ）の長さを有するトレーニング装置１０２の長手軸に沿って伸長してもよい。トレーニング装置１０２は、ゴルフクラブ、ドライバー、パター又はアイアンの重量に類似する重さを有するように作られている。
【００２０】
ファン１０８は、柔軟なコード１０６に取り付けられる。ファン１０８は、柔軟なコード１０６に固定して取り付けられうる狭小部分１１４を有する。ファン１０８は、狭小部分１１４から幅広部分１１６へ広がる。ファン１０８は、トレーニング装置１０２を振る際にユーザに抵抗（風の抵抗を介して）を与える繊維（例えば、ナイロン、綿、ポリエステル、ゴム、及びプラスチック）の柔軟な部品を提供する。ファン１０８は、少なくとも２つの異なる構成に調節可能である。ある構成において、ファン１０８は、開放構成にあってもよく（図１に示されるように）、使用中にユーザが感じる風の抵抗は最大となる。この構成において、ファン１０８は、空気又は風の流れに抵抗するために最大限の表面積を有するよう開放されている。第２の構成において、ファン１０８は、閉鎖又は折り畳まれた構成にあってもよく（図３に示されるように）、ファン１０８は表面積が減少し、使用中にユーザが感じる抵抗が低減される。ファン１０８は、ストラップ、タイ、クラスプ、又はクランプを使用することによって折り畳まれた構成で保持されてもよく、ファン１０８は、トレーニング装置１０２のスイング中折り畳まれた構成で保持される。ファン１０８を折り畳まれた位置に保持するための１つのそのような例示的な保持ストラップ１１８が図２に示される。
【００２１】
図１に示されるように、ファン１０８は、単一部品の織物から作製される。しかしながら、ファン１０８の実施形態は、全てが柔軟なコード１０６に連結された、又は、互いを介して柔軟なコード１０６に連結された２つ以上の部品の繊維を含むことが理解されるべきである。折り畳み可能な形式は、２つ以上の連結された又は個々に折り畳み可能な形式を含みうることもまた考えられる。
【００２２】
図２を参照すると、本開示の例示的な実施形態の実践に使用するために適切な例示的な装置の透視図が示される。図２には、握り１０４、柔軟なコード１０６、ファン１０８、ロック機構１１２、及び保持ストラップ１１８を有するトレーニング装置１０２が示される。図２に示されるように、伸長管１１０は図示されないが、これは、伸長管１１０は非伸長位置にあり、伸長管１１０の全長が握り１０４の空洞内に配置されるからである。
【００２３】
図２に示される構成において、ロック機構１１２は、伸長管１１０がトレーニング装置１０２の使用中に動かないように、非延長位置で伸長管１１０を保持する。言い換えれば、ロック機構１１２は、トレーニング装置１０２がスイングされる際、握り１０４に関して伸長管１１０の位置を保持することができる。しかしながら、ロック機構１１２は、ユーザが所望であれば、握り１０４に関して伸長管１１０の移動を可能とするよう操作されてもよい。
【００２４】
また、図２には、保持ストラップ１１８を有するファン１０８が示される。図２に示される実施形態において、ファン１０８は、ファン１０８の狭小部分１１４の近傍で互いに連結される２つの部品の繊維を含む。ファン１０８の実施形態は、ファン１０８の近傍の狭小部分１１４に互いに連結できる１つ以上の部品の繊維を含むようにファン１０８を提供できる。ファン１０８の実施形態は、ユーザによりスイングされる際の風の抵抗の変動を提供するように任意の位置で互いに連結できる１つ以上の部品の繊維を含む。
【００２５】
保持ストラップ１１８は、ファン１０８を折り畳まれた位置で保持しファン１０８を自由に拡張させることができる手段を提供する。図２に示される実施形態において、保持ストラップ１１８は、フック及びループファスナであり、ファン１０８が巻かれ又は束ねられる際に保持ストラップ１１８がファン１０８を囲むように十分に長い長手軸を有する。次いで、保持ストラップ１１８は、参照番号１２０で示されるファン１０８の表面上のフック及びループファスナの部分に取外し可能に取り付けられる。
【００２６】
ファン１０８の実施形態は、保持ストラップ１１８を必要としない折り畳まれた位置においてファン１０８を保持するための他の手段を含むこともまた理解されるべきである。例えば、ファン１０８の実施形態は、ファン１０８の反対側又はファン１０８の反対表面上に位置するフック及びループファスナ、クランプ又はクラスプを含んでもよく、ファン１０８は、巻かれ又は束ねられ、当該位置に選択的に保持されてもよい。
【００２７】
ある構成において、ファン１０８は、ファンの速度が増加すると広がる。したがって、スイングスピードが増加すると、ファン１０８の相対的な断面積が増加し、それによって抵抗がさらに増加する。
【００２８】
次に、本開示の例示的な実施形態の実践に使用するために適切な代替的な構成の例示的な装置の正面図を示す、図３を参照する。図３には、握り１０４、柔軟なコード１０６、ファン１０８及びロック機構１１２を有する保持装置１０２が示される。図３に示されるファン１０８は、折り畳まれた位置にある。周囲の空気に対して開放されたファン１０８の表面積は、折り畳まれた位置では低減される。図３に示される実施形態において、ファン１０８は、折り畳まれた位置に巻かれ、保持ストラップ１１８（図示せず）によりこの位置に保持される。
【００２９】
図４を参照すると、トレーニング装置１０２の使用を示すフローダイアグラムが示される。図４には、４つの異なる構成（４０２、４０４、４０６、及び４０８）にあるトレーニング装置１０２及びユーザ４００が示され、トレーニング装置１０２を使用するユーザについて例示的なスイング又はトレーニングの動きが示される。構成４０２から始まって、ユーザ４００は、ユーザの足の方を向くファン１０８を有する握り１０４において両手でトレーニング装置１０２を持っている。構成４０４に先立って、ユーザ４００は、トレーニング装置１０２を上げ、ゴルフスイングのような動きでトレーニング装置１０２をスイングする準備をする。次いで、構成４０６において、ユーザ４００はユーザが地面でゴルフボール又は他の物体を打とうと試みているかのように、地面に向かってトレーニング装置１０２をスイングし始める。最後に、構成４０８において、ユーザ４００は、ゴルフスイングをフィニッシュさせるかのようにトレーニング装置１０２を上げることによりスイング動作を終わらせる。
【００３０】
図４に示されるように、トレーニング装置１０２のファン１０８は、使用中にファン１０８による風又は空気の抵抗が最大となるように拡張位置にある。したがって、ユーザ４００は、トレーニング装置１０２のスイング運動を完了するためにより大きい力を使うことが必要とされる。トレーニング装置１０２は、ファン１０８が折り畳まれた位置にある場合について図４に示されるものと類似した態様で使用してもよい。
【００３１】
図５を参照すると、本開示の例示的な実施形態を実践するための方法及び装置に従った例示的なロジックフローダイアグラムが示される。ブロック５０２は、少なくとも以下を含む装置を提供する工程（ａ）を示す：中空の中心を定める硬い円筒状のシャフトを含む握り；握りにスライド可能に連結された伸長部材であって、伸長部材が中空の中心の内部にある非伸長位置と伸長部材が中空の中心の内部にない伸長位置との間をスライドすることができる、伸長部材；握りに関して伸長部材の位置を固定し、かつ握りに関して伸長部材の移動を可能とするように握り及び伸長部材に移動可能に連結された、ファスナ；伸長部材に連結された柔軟なコード；及び、柔軟なコードに連結された折り畳み式ファンであって、折り畳み式ファンがフローに抵抗するよう動作可能な開いた位置と折り畳み式ファンがフローに抵抗しないよう動作可能な折り畳まれた位置との間で折り畳むことができる、折り畳み式ファン。次いで、ブロック５０４は、握りが硬いゴムグリップをさらに有することを特定する。
【００３２】
上記で詳述した非限定的な実施のいくつかは、ブロック５０４の後の図５においても概略される。ブロック５０６は、ファスナが握りに関して回転可能に連結され、ファスナは、握りに関して伸長部材の位置を固定するように回転することに関する。ブロック５０８は、柔軟なコードがナイロンロープであることを示す。次いで、ブロック５１０は、伸長部材が非伸長位置にある場合、装置は４０インチ（１０１．６ｃｍ）の長さを有し、伸長部材が伸長位置にある場合、装置は４９インチ（１２４．４６ｃｍ）の長さを有することを示す。ブロック５１２は、柔軟なコードが伸長部材に取外し可能に連結されることに関する。次いで、ブロック５１４は、折り畳み式ファンが、柔軟なコードに固定して連結される２つの折り畳み式ファンを有することを示す。
【００３３】
次に図６を参照すると、本開示の例示的な実施形態を実践するための方法及び装置に従った、別の例示的なロジックフローダイアグラムが示される。ブロック６０２は、以下を示す：（ａ）中空の中心を定める硬い円筒状シャフトを含む握りを形成する工程；（ｂ）握りにスライド可能に連結された伸長部材であって、伸長部材が中空の中心の内部にある非伸長位置と伸長部材が中空の中心の内部にない伸長位置との間をスライドできる、伸長部材を取り付ける工程；（ｃ）握りに関して伸長部材の位置を固定し、かつ握りに関して伸長部材の移動を可能とするように、握り及び伸長部材に移動可能に連結された、ファスナを取り付ける工程；（ｄ）伸長部材に連結された柔軟なコードを取り付ける工程；及び（ｅ）柔軟なコードに連結された折り畳み式ファンであって、フローに抵抗するよう動作可能な開いた位置と折り畳み式ファンがフローに抵抗しないよう動作可能な折り畳まれた位置との間で折り畳むことができる、折り畳み式ファンを取り付ける工程。ブロック６０４は、握りが硬いゴムグリップをさらに有することに関する。
【００３４】
次いで、ブロック６０６は、ファスナが握りに回転可能に連結され、ファスナは、握りに関して伸長部材の位置を固定するように回転することを示す。ブロック６０８は、柔軟なコードがナイロンロープであることを示す。ブロック６１０は、伸長部材が非伸長位置にある場合、装置は４１インチ（１０４．１４ｃｍ）の長さを有し、伸長部材が伸長位置にある場合、装置は４９インチ（１２４．４６ｃｍ）の長さを有することを示す。次いで、ブロック６１２は、柔軟なコードが伸長部材に取外し可能に連結されることに関する。最後に、ブロック６１４は、折り畳み式ファンが、柔軟なコードに固定して連結された２つの折り畳み式ファンを有することを示す。
【００３５】
図５及び図６のロジックダイアグラムは、方法の動作を示すものと考えられうる。図５及び図６のロジックフローダイアグラムはまた、装置の構成要素が、そのような装置がゴルフトレーニング装置であろうとその１つ以上の構成要素であろうと、装置を動作させるよう構成される特定の態様であると考えられうる。
【００３６】
任意の実施形態に関して記載される任意の特徴は、単独で、又は、説明される他の特徴と組み合わせて用いられてもよく、また、単独で、又は、任意の他の実施形態の１つ以上の特徴あるいは任意の他の実施形態の任意の組合せと組み合わせて、用いられてもよいことが理解されるべきである。したがって、本明細書に開示される実施形態は、すべての点で、例証であり非制限的であると考えられる。さらに、上記に説明されていない均等物及び変更を、添付の請求項に定められる本開示の範囲から逸脱せずに行ってもよい。
【符号の説明】
【００３７】
１０２  トレーニング装置
１０４  握り
１０６  柔軟なコード
１０８  ファン
１１２  ロック機構
１１８  保持ストラップ
４００  ユーザ
【図１】
2019509800.tif 000003
【図２】
2019509800.tif 000004
【図３】
2019509800.tif 000005
【図４】
2019509800.tif 000006
【図５】
2019509800.tif 000007
【図６】
2019509800.tif 000008
【国際調査報告】
2019509800.tif 000009